(57)【要約】【課題】  患者を引き継ぐ際に、簡易にかつ確実に患者を確認する。【解決手段】  記憶部４８は、患者に識別情報を予め割り当て、割り当てた識別情報と、当該患者に施すべき医療行為についての予定情報とを対応させながら、複数の患者に対する複数の予定情報と複数の識別情報をそれぞれ記憶する。選択部３２は、記憶部４８に記憶した複数の予定情報から、これから実施すべき医療行為に対応した予定情報を医療行為者の指示に従って選択する。読込部３４は、医療行為の対象となる患者に付与した識別情報を外部から読み込む。判定部５４は、選択部３２において選択した予定情報にもとづいて、記憶部４８から識別情報を取得し、当該取得した識別情報と、読込部３４において読み込んだ識別情報とを照合することによって、医療行為の対象となる患者が医療行為を施すべき対象であるかを判定する。【選択図】  図３
2006079409.tif 000002
【特許請求の範囲】
【請求項１】
患者に識別情報を予め割り当て、割り当てた識別情報と、当該患者に施すべき医療行為についての予定情報とを対応させながら、複数の患者に対する複数の予定情報と複数の識別情報をそれぞれ記憶する記憶部と、
前記記憶部に記憶した複数の予定情報から、これから実施すべき医療行為に対応した予定情報を医療行為者の指示に従って選択する選択部と、
医療行為の対象となる患者に付与した識別情報を読み込む読込部と、
前記選択部において選択した予定情報にもとづいて、前記記憶部から識別情報を取得し、当該取得した識別情報と、前記読込部において読み込んだ識別情報とを照合することによって、前記医療行為の対象となる患者が医療行為を施すべき対象であるかを判定する判定部と、
を備えることを特徴とする医療行為管理システム。
【請求項２】
患者の生体情報を予め取得しており、取得した生体情報と、当該患者に施すべき医療行為についての予定情報とを対応させながら、複数の患者に対する複数の予定情報と複数の生体情報をそれぞれ記憶する記憶部と、
前記記憶部に記憶した複数の予定情報から、これから実施すべき医療行為に対応した予定情報を医療行為者の指示に従って選択する選択部と、
医療行為の対象となる患者の生体情報を読み込む読込部と、
前記選択部において選択した予定情報にもとづいて、前記記憶部から生体情報を取得し、当該取得した生体情報と、前記読込部において読み込んだ生体情報とを照合することによって、前記医療行為の対象となる患者が医療行為を施すべき対象であるかを判定する判定部と、
を備えることを特徴とする医療行為管理システム。
【請求項３】
前記判定部において判定した結果を提示する提示部をさらに備えることを特徴とする請求項１または２に記載の医療行為管理システム。
【請求項４】
前記選択部において予定情報を選択する際に、複数の予定情報を表示する表示部をさらに備え、
前記選択部は、前記表示部に表示した複数の予定情報のうちのいずれかを医療行為者に選択させることによって、予定情報を選択することを特徴とする請求項３に記載の医療行為管理システム。
【請求項５】
前記読込部か前記判定部による処理の時刻を記録する記録部をさらに備えることを特徴とする請求項１から４のいずれかに記載の医療行為管理システム。
【請求項６】
前記読込部において、読み込みを実施した医療行為者に関する情報を取得する取得部をさらに備え、
前記記録部は、時刻を記録する際に、前記取得部において取得した医療行為者に関する情報を時刻に対応づけながら記録することを特徴とする請求項５に記載の医療行為管理システム。
【請求項７】
患者に識別情報を予め割り当て、割り当てた識別情報と、当該患者に施すべき医療行為についての予定情報とを対応させながら、複数の患者に対する複数の予定情報と複数の識別情報をそれぞれ記憶するサーバから、複数の予定情報を受信し、受信した複数の予定情報の中から、これから実施すべき医療行為に対応した予定情報を医療行為者の指示に従って選択し、選択した予定情報を前記サーバに送信する選択部と、
医療行為の対象となる患者に付与した識別情報を読み込み、前記サーバに送信する読込部と、
前記選択部において選択した予定情報に対応した識別情報と、前記読込部において読み込んだ識別情報とを照合することによって、前記医療行為の対象となる患者が医療行為を施すべき対象であるかを判定した結果を前記サーバから受信し、受信した結果を提示する提示部と、
を備えることを特徴とする携帯端末装置。
【請求項８】
患者に識別情報を予め割り当て、割り当てた識別情報と、当該患者に施すべき医療行為についての予定情報とを対応させながら、複数の患者に対する複数の予定情報と複数の識別情報をそれぞれ記憶する記憶部と、
前記記憶部に記憶した複数の予定情報から、これから実施すべき医療行為に対応した予定情報を選択した結果を受けつける第１受付部と、
医療行為の対象となる患者に付与した識別情報を読み込んだ結果を受けつける第２受付部と、
前記第１受付部において受けつけた予定情報にもとづいて、前記記憶部から識別情報を取得し、当該取得した識別情報と、前記第２受付部において受けつけた識別情報とを照合することによって、前記医療行為の対象となる患者が医療行為を施すべき対象であるかを判定する判定部と、
を備えることを特徴とする管理サーバ。
【請求項９】
患者に識別情報を予め割り当て、割り当てた識別情報と、当該患者に施すべき医療行為についての予定情報とを対応させながら、複数の患者に対する複数の予定情報と複数の識別情報がメモリにそれぞれ記憶されており、前記メモリに記憶した複数の予定情報から、これから実施すべき医療行為に対応した予定情報を医療行為者の指示に従って選択するステップと、
医療行為の対象となる患者に付与した識別情報を読み込むステップと、
前記選択するステップにおいて選択した予定情報にもとづいて、前記メモリから識別情報を取得し、当該取得した識別情報と、前記読み込むステップにおいて読み込んだ識別情報とを照合することによって、前記医療行為の対象となる患者が医療行為を施すべき対象であるかを判定するステップと、
を備えることを特徴とする医療行為管理方法。
【請求項１０】
患者の生体情報を予め取得しており、取得した生体情報と、当該患者に施すべき医療行為についての予定情報とを対応させながら、複数の患者に対する複数の予定情報と複数の生体情報がメモリにそれぞれ記憶されており、前記メモリに記憶した複数の予定情報から、これから実施すべき医療行為に対応した予定情報を医療行為者の指示に従って選択するステップと、
医療行為の対象となる患者の生体情報を読み込むステップと、
前記選択するステップにおいて選択した予定情報にもとづいて、前記メモリから生体情報を取得し、当該取得した生体情報と、前記読み込むステップにおいて読み込んだ生体情報とを照合することによって、前記医療行為の対象となる患者が医療行為を施すべき対象であるかを判定するステップと、
を備えることを特徴とする医療行為管理方法。
【発明の詳細な説明】
【技術分野】
【０００１】
本発明は、医療行為管理技術に関し、特に医療行為の対象となる患者を確認する医療行為管理方法ならびにそれを利用した携帯端末装置および管理サーバおよび医療行為管理システムに関する。
【背景技術】
【０００２】
手術や投薬などの医療行為は、人によってなされる部分を含むので、医療ミスが生じる可能性を有する。そのため、一般的に、医療現場では、患者に点滴や注射等を行う場合に、異なった看護師によって、２重のチェックがなされるような規則を設けている。しかしながら、このような規則を実行することによって、看護師等の業務がさらに繁忙になってしまう。そこで、特許文献１では、患者に対して予め識別番号を付与しておき、識別番号と、患者に付与すべき薬剤との関係をデータベースにしている。また、患者にも所定の手段によって識別番号を所持させている。このような構成において、投薬を実行する際に、看護師は、患者が所持する識別番号をハンディーターミナルによって読み込む。さらに、識別番号は、データベースを保持するコンピュータに送信される。コンピュータは、データベースを参照して、識別番号に対応した薬剤を看護師に通知する。
【特許文献１】特開２００１−３４４３３８号公報
【発明の開示】
【発明が解決しようとする課題】
【０００３】
医療行為、特に手術を行う場合、患者は、病室側の看護師から手術室側の看護師に引き継がれる。引き継ぐときに患者が正しいかを判定するために、一般的に、手術室側の看護師は、患者に対して呼びかけを行ったり、病室側の申送り確認する。しかしながら、病院に多くの手術室が存在すれば、引き継ぐ際に患者が混在するので、患者を取り違える可能性が増加する。このような場合に、医療ミスの生じる可能性がある。また、看護師にとっては、正確に患者を引き継ぐことは重要であるが、引き継ぎの処理が簡易である方が望ましい。
【０００４】
本発明はこうした状況に鑑みてなされたものであり、その目的は、簡易にかつ確実に患者を引き継ぐ医療行為管理方法ならびにそれを利用した携帯端末装置および管理サーバおよび医療行為管理システムを提供することにある。
【課題を解決するための手段】
【０００５】
上記課題を解決するために、本発明のある態様の医療行為管理システムは、患者に識別情報を予め割り当て、割り当てた識別情報と、当該患者に施すべき医療行為についての予定情報とを対応させながら、複数の患者に対する複数の予定情報と複数の識別情報をそれぞれ記憶する記憶部と、記憶部に記憶した複数の予定情報から、これから実施すべき医療行為に対応した予定情報を医療行為者の指示に従って選択する選択部と、医療行為の対象となる患者に付与した識別情報を外部から読み込む読込部と、選択部において選択した予定情報にもとづいて、記憶部から識別情報を取得し、当該取得した識別情報と、読込部において読み込んだ識別情報とを照合することによって、医療行為の対象となる患者が医療行為を施すべき対象であるかを判定する判定部と、を備える。
【０００６】
「予定情報」とは、将来実施する医療行為を特定するための情報であるが、予定情報は、複数の項目を含んでいてもよく、さらに、複数の項目のうちのひとつを「予定情報」としてもよい。「医療行為者」とは、医師、看護師等の医療行為を実施する者を意味するが、このように直接医療行為を実施する者だけではなく、医師、看護師等の指示のもとにおいて作業をする者も含める。「判定」は、取得した識別情報と、読込部において読み込んだ識別情報とを照合する場合も含むものとする。
【０００７】
この態様によると、医療行為の対象となる患者に対して、識別番号を予め付与しておき、付与した識別番号を読み込んでから、予め記憶した識別番号との間で照合を行うので、医療行為者は、医療行為の対象となる患者が医療行為を施すべき対象であるかを判定できる。
【０００８】
本発明の別の態様もまた、医療行為管理システムである。この医療行為管理システムは、患者の生体情報を予め取得しており、取得した生体情報と、当該患者に施すべき医療行為についての予定情報とを対応させながら、複数の患者に対する複数の予定情報と複数の生体情報をそれぞれ記憶する記憶部と、記憶部に記憶した複数の予定情報から、これから実施すべき医療行為に対応した予定情報を医療行為者の指示に従って選択する選択部と、医療行為の対象となる患者の生体情報を外部から読み込む読込部と、選択部において選択した予定情報にもとづいて、記憶部から生体情報を取得し、当該取得した生体情報と、読込部において読み込んだ生体情報とを照合することによって、医療行為の対象となる患者が医療行為を施すべき対象であるかを判定する判定部と、を備える。
【０００９】
「生体情報」は、患者に固有の情報であり、指紋、掌紋、顔、虹彩（アイリス）、声紋などを含む。
【００１０】
この態様によると、医療行為の対象となる患者の生体情報を読み込んでから、予め記憶した生体情報との間で照合を行うので、医療行為者は、医療行為の対象となる患者が医療行為を施すべき対象であるかを判定できる。
【００１１】
判定部において判定した結果を提示する提示部をさらに備えてもよい。
「提示」は、所定の文字や画像を表示すること、音声や音楽を出力すること、装置を振動させることなどを含み、結果を医療行為者に通知できる手段であればよい。この場合、医療行為者に結果を通知でき、特に、医療行為の対象となる患者が医療行為を施すべき対象でないと判定した場合は、注意を促せる。
【００１２】
選択部において予定情報を選択する際に、複数の予定情報を表示する表示部をさらに備え、選択部は、表示部に表示した複数の予定情報のうちのいずれかを医療行為者に選択させることによって、予定情報を選択してもよい。この場合、医療行為者は、複数の選択肢の中からひとつを選択する処理を行うので、医療行為者の処理を容易にできる。
【００１３】
読込部か判定部による処理の時刻を記録する記録部をさらに備えてもよい。読込部において、読み込みを実施した医療行為者に関する情報を取得する取得部をさらに備えてもよい。記録部は、時刻を記録する際に、取得部において取得した医療行為者に関する情報を時刻に対応づけながら記録してもよい。この場合、時刻や医療行為者に関する情報を記録するので、医療行為においてなされる患者の移動を把握できる。
【００１４】
本発明のさらに別の態様は、携帯端末装置である。この装置は、患者に識別情報を予め割り当て、割り当てた識別情報と、当該患者に施すべき医療行為についての予定情報とを対応させながら、複数の患者に対する複数の予定情報と複数の識別情報をそれぞれ記憶するサーバから、複数の予定情報を受信し、受信した複数の予定情報の中から、これから実施すべき医療行為に対応した予定情報を医療行為者の指示に従って選択し、選択した予定情報をサーバに送信する選択部と、医療行為の対象となる患者に付与した識別情報を外部から読み込み、サーバに送信する読込部と、選択部において選択した予定情報に対応した識別情報と、読込部において読み込んだ識別情報とを照合することによって、医療行為の対象となる患者が医療行為を施すべき対象であるかを判定した結果をサーバから受信し、受信した結果を提示する提示部と、を備える。
【００１５】
この態様によると、医療行為の対象となる患者に対して、識別番号を予め付与しておき、付与した識別番号を読み込んでから、予め記憶した識別番号との間で照合を行う処理をサーバから離れた場所においても実施できる。
【００１６】
本発明のさらに別の態様は、管理サーバである。この管理サーバは、患者に識別情報を予め割り当て、割り当てた識別情報と、当該患者に施すべき医療行為についての予定情報とを対応させながら、複数の患者に対する複数の予定情報と複数の識別情報をそれぞれ記憶する記憶部と、記憶部に記憶した複数の予定情報から、これから実施すべき医療行為に対応した予定情報を選択した結果を受けつける第１受付部と、医療行為の対象となる患者に付与した識別情報を外部から読み込んだ結果を受けつける第２受付部と、第１受付部において受けつけた予定情報にもとづいて、記憶部から識別情報を取得し、当該取得した識別情報と、第２受付部において受けつけた識別情報とを照合することによって、医療行為の対象となる患者が医療行為を施すべき対象であるかを判定する判定部と、を備える。
【００１７】
この態様によると、医療行為の対象となる患者に対して、識別番号を予め付与しておき、付与した識別番号を読み込んでから、予め記憶した識別番号との間で照合を行うので、医療行為者は、医療行為の対象となる患者に医療を施すべきであるかを判定できる。
【００１８】
本発明のさらに別の態様は、医療行為管理方法である。この方法は、患者に識別情報を予め割り当て、割り当てた識別情報と、当該患者に施すべき医療行為についての予定情報とを対応させながら、複数の患者に対する複数の予定情報と複数の識別情報がメモリにそれぞれ記憶されており、メモリに記憶した複数の予定情報から、これから実施すべき医療行為に対応した予定情報を医療行為者の指示に従って選択するステップと、医療行為の対象となる患者に付与した識別情報を外部から読み込むステップと、選択するステップにおいて選択した予定情報にもとづいて、メモリから識別情報を取得し、当該取得した識別情報と、読み込むステップにおいて読み込んだ識別情報とを照合することによって、医療行為の対象となる患者が医療行為を施すべき対象であるかを判定するステップと、を備える。
【００１９】
本発明のさらに別の態様もまた、医療行為管理方法である。この方法は、患者の生体情報を予め取得しており、取得した生体情報と、当該患者に施すべき医療行為についての予定情報とを対応させながら、複数の患者に対する複数の予定情報と複数の生体情報がメモリにそれぞれ記憶されており、メモリに記憶した複数の予定情報から、これから実施すべき医療行為に対応した予定情報を医療行為者の指示に従って選択するステップと、医療行為の対象となる患者の生体情報を外部から読み込むステップと、選択するステップにおいて選択した予定情報にもとづいて、メモリから生体情報を取得し、当該取得した生体情報と、読み込むステップにおいて読み込んだ生体情報とを照合することによって、医療行為の対象となる患者が医療行為を施すべき対象であるかを判定するステップと、を備える。
【００２０】
なお、以上の構成要素の任意の組合せ、本発明の表現を方法、装置、システム、記録媒体、コンピュータプログラムなどの間で変換したものもまた、本発明の態様として有効である。
【発明の効果】
【００２１】
本発明によれば、簡易にかつ確実に患者を引き継ぐことができる。
【発明を実施するための最良の形態】
【００２２】
本発明を具体的に説明する前に、概要を述べる。本発明の実施例は、手術などの医療行為を実行する際に、患者を確認する医療行為管理システムに関する。医療行為管理システムは、病室側の看護師から手術室の看護師に、手術すべき患者を引き継ぐ場面において使用される。医療行為管理システムは、複数の患者のそれぞれに対して、識別番号を予め割り当て、割り当てた識別番号が貼付されたリストバンドを当該患者に装着させる。その際、識別番号は、文字、数字、図形等の形式によって表現される。また、リストバンドに貼付された識別番号を読み込む機能を有した携帯端末装置と、携帯端末装置と通信する機能を有したコンピュータが備えられており、コンピュータには、識別番号と、識別番号に対応した手術の予定情報との組み合わせが記憶されている。
【００２３】
患者を引き継ぐ際に、手術室側の看護師は、携帯端末装置を使用して、コンピュータにアクセスし、記憶された予定情報のうち、引き継ぐべき患者の予定情報を選択する。また、その結果をコンピュータに送信する。さらに、看護師は、携帯端末装置を使用して、患者のリストバンドに貼付された識別番号を読み込み、その結果をコンピュータに送信する。コンピュータは、選択された予定情報に対応した識別番号（以下、「参照識別番号」という）と、読み込まれた識別番号とを照合する。さらに、コンピュータは、その結果を携帯端末装置に送信し、携帯端末装置は、その結果を画面に表示する。医療行為管理システムによって、看護師は、簡易にかつ確実に、手術室側の看護師に引き継がれた患者が正しいかを確認できる。
【００２４】
さらに、コンピュータは、照合の処理がなされた時刻と、手術室側の看護師の名前も特定し、これらの情報を判定結果と組み合わせて記憶する。このようなデータは、引き継ぎにミスが生じた場合に、データとして使用される。
【００２５】
本発明の実施例を説明する前に、手術室の業務の手順の中において、本発明に係る医療行為管理システムが使用される状況を説明する。図１は、本発明の実施例に係る手術室の業務の手順を示すフローチャートである。手術室の看護師は、手術に使用する器材、薬剤等の医療器材を準備し、および手術室全体の最終確認を行うことによって、手術室の準備を実行する（Ｓ１０）。病棟から手術室へ搬送されてきた患者を受け入れる（Ｓ１２）。手術室側の看護師は、病室側の看護師との間で引き継いだ患者を確認する（Ｓ１４）。看護師は、患者にモニタ類を装着し（Ｓ１６）、手術開始前の患者の観察記録、看護記録を作成する。医師が、患者を手術する（Ｓ１８）。手術が終了し、患者の麻酔が覚醒した後、手術室側の看護師は、患者を送り出す（Ｓ２０）。病室側の看護師は、手術室側の看護師との間で引き継いだ患者を確認する（Ｓ２２）。以上の手順のうち、ステップ１４とステップ２２における患者の確認に、医療行為管理システムが使用される。以下の説明では、ステップ１４における医療行為管理システムの使用を説明する。
【００２６】
図２（ａ）−（ｂ）は、本発明の実施例に係る医療行為管理システム１００の概略を示す。図２（ａ）は、患者の引き継ぎを行う際に、医療行為管理システム１００を使用する形態を示す。医療行為管理システム１００は、コンピュータ１０、携帯端末装置１２、リストバンド１４を含む。また、患者は移動ベット１６の上に寝かされている。図は、病院の廊下等を示しており、中央より左側が病室のエリア、中央より右側が手術室のエリアに分割されている。患者が、病室のエリアから手術室のエリアに運び込まれる際、病室側の看護師から手術室側の看護師に、患者の引き継ぎが行われる。
【００２７】
患者には予め識別番号を割り当てており、コンピュータ１０は、複数の患者に対する識別番号と、手術の予定情報との組み合わせを記憶している。また、コンピュータ１０は、無線ＬＡＮ（Ｌｏｃａｌ  Ａｒｅａ  Ｎｅｔｗｏｒｋ）などのネットワークによって、看護師が所持する携帯端末装置１２に接続されている。コンピュータ１０は、例えば、ナースステーションに設置される。
【００２８】
携帯端末装置１２は、看護師に所持されており、コンピュータ１０にアクセスする機能を有する。さらに、移動ベット１６の上に寝かされた患者は図２（ｂ）のごとくリストバンド１４を装着しており、看護師は、携帯端末装置１２に備えられた読み取り機能を使用して、リストバンド１４に貼付された識別番号を読み取る。識別番号は、前述のごとく、文字、数字、図形等の形式によって与えられてもよいが、無線タグ、ＲＦ−ＩＤによって与えられてもよい。携帯端末装置１２は、読み取った識別番号をコンピュータ１０に送信し、コンピュータ１０は、読み取った識別番号と参照識別番号との間で照合をおこなう。さらに、照合の結果は、携帯端末装置１２に通知され、看護師は、携帯端末装置１２の画面の表示によって、照合の結果を確認する。
【００２９】
図３は、本発明の実施例に係る医療行為管理システム１００の構成を示す。医療行為管理システム１００は、コンピュータ１０、携帯端末装置１２を含む。コンピュータ１０は、通信部４４、制御部４６、記憶部４８、抽出部５０、タイマー５２、判定部５４を含む。また、携帯端末装置１２は、提示部３０、選択部３２、読込部３４、要求部３６、取得部３８、制御部４０、通信部４２を含む。
【００３０】
要求部３６は、患者の確認を実行する際において、予め確認すべき患者を特定するために、コンピュータ１０に対して、コンピュータ１０が記憶した予定情報の一覧を送信するように要求する。この要求は、携帯端末装置１２の通信部４２とコンピュータ１０の通信部４４を介して、記憶部４８に送信される。
【００３１】
記憶部４８は、患者に予め割り当てた識別情報と、当該患者に施すべき医療行為についての予定情報とを対応させながら、複数の患者に対する複数の予定情報と複数の識別情報をそれぞれ記憶する。図４は、記憶部４８に記憶された識別番号と予定情報との組み合わせについてのデータ構造を示す。図示のごとく、識別番号欄２００、患者名欄２０２、手術予定日時欄２０４、手術種別欄２０６が備えられている。図の１行が、一人の患者に対する情報に相当する。識別番号欄２００は、予め患者に割り当てた識別番号に相当し、患者名欄２０２から手術種別欄２０６は、予定情報に相当する。なお、予定情報は、図示するものに限定されず、これら以外のものであってもよい。例えば、手術室名や術者名を含んでもよい。要求部３６からの要求を受けつけると、記憶部４８は、図４に示したデータを携帯端末装置１２に送信する。
【００３２】
提示部３０は、モニタ等によって構成されており、記憶部４８から受けつけた予定情報の一覧を表示する。図５は、提示部３０に表示された実施入力一覧の画面を示す。図５のように、手術予定日ウインドウ２２０、手術種別ウインドウ２２２、内容ウインドウ２２４、ログアウトボタン２２６、確定ボタン２２８が備えられている。看護師が、手術予定日ウインドウ２２０と手術種別ウインドウ２２２に所定の情報を入力すれば、受けつけた予定情報のうち、入力された情報に対応したものが、内容ウインドウ２２４に表示される。すなわち、所定の手術予定日であって、かつ所定の手術種別であるような予定情報が内容ウインドウ２２４に表示される。
【００３３】
内容ウインドウ２２４に表示された予定情報の一覧の中から、確認すべき患者に対応した予定情報を看護師が指定すれば、これが当該予定情報の選択に相当する。この処理が、図３の選択部３２の処理に対応する。すなわち、選択部３２において予定情報を選択する際に、提示部３０は複数の予定情報を表示し、選択部３２は、記憶部４８に記憶した複数の予定情報から、確認すべき患者に対応した予定情報を看護師に選択させることによって、処理対象の予定情報を選択する。なお、看護師による予定情報の選択は、看護師が、内容ウインドウ２２４に表示された複数の予定情報のうちのいずれかを選択し、さらに確定ボタン２２８を押すことによって実現される。図３に戻る。選択部３２による選択の指示は、抽出部５０に出力される。
【００３４】
抽出部５０は、記憶部４８に記憶した複数の組み合わせの中から、選択部３２による選択に対応した組み合わせ、あるいは識別番号を抽出する。抽出した識別番号が、参照識別番号に相当する。抽出部５０は、参照識別番号を判定部５４に出力する。
【００３５】
読込部３４は、医療行為の対象となる患者に付与した識別情報を外部から読み込む。読込部３４は、読み込んだ識別番号を判定部５４に出力する。取得部３８は、読込部３４での読み込みを実施した看護師に関する情報を取得する。例えば、看護師に、看護師の識別番号を入力させる。看護師の識別番号は、文字、数字、図形等の形式によって付与されてもよい。取得部３８は、読み込んだ看護師の識別番号を判定部５４に送信する。
【００３６】
判定部５４は、参照識別情報と、読込部３４において読み込んだ識別情報とを照合することによって、患者が医療行為を施すべき対象であるかを判定する。すなわち、参照識別番号と読み込んだ識別番号が一致していれば、患者が医療行為を施すべき対象であると判定し、そうでなければ、患者が医療行為を施すべき対象でないと判定する。判定部５４は、判定結果を提示部３０とタイマー５２に出力する。
【００３７】
提示部３０は、判定部５４において判定した結果を受けつけ、それを表示する。図６は、提示部３０に表示された警告メッセージの画面を示す。図５に示した画面の中央部分に警告ウインドウ２３０が表示されている。警告ウインドウ２３０に記載されたメッセージの内容が、患者が医療行為を施すべき対象でないことに相当する。なお、図３の提示部３０は、音声信号を出力することによって、判定結果を提示してもよい。
【００３８】
タイマー５２は、内蔵したクロックにもとづいて、時刻の情報を生成する。さらに、タイマー５２は、判定部５４から判定結果を受けつけたタイミングにおいて、時刻情報と判定結果を対応付けて、記憶部４８に出力する。その際、判定結果には、看護師の識別番号も付加されているが、そのままの状態で出力する。
【００３９】
記憶部４８は、タイマー５２から入力した時刻情報と判定結果とを記録する。この時刻情報は、判定部５４による処理の時刻に相当する。なお、携帯端末装置１２に図示しないタイマーが備えられており、このタイマーが時刻情報を生成している場合、時刻情報は、読込部３４による処理の時刻に相当する。さらに、記憶部４８は、時刻情報を記録する際に、取得部３８において取得した看護師に関する情報を時刻に対応づけながら記録する。
【００４０】
コンピュータ１０の制御部４６、携帯端末装置１２の制御部４０は、コンピュータ１０、携帯端末装置１２が所定の処理を施せるように、情報の入出力やタイミングをそれぞれ制御する。
【００４１】
図７は、記憶部４８に記録された判定結果を示す。図示のごとく、識別番号欄２４０、参照識別番号欄２４２、判定結果欄２４４、判定日時欄２４６、判定者欄２４８が設けられている。図の１行が、ひとつの判定結果に対する情報に相当する。識別番号欄２４０は、読込部３４によって読み込まれた識別番号を格納し、参照識別番号欄２４２は、参照識別番号を格納し、判定結果欄２４４は、判定部５４における判定結果を格納する。さらに、判定日時欄２４６は、時刻情報を格納し、判定者欄２４８は、看護師の識別番号を格納する。
【００４２】
この構成は、ハードウエア的には、任意のコンピュータのＣＰＵ、メモリ、その他のＬＳＩで実現でき、ソフトウエア的にはメモリのロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４３】
以上の構成による医療行為管理システム１００の動作を説明する。図８は、医療行為管理システム１００による確認処理の手順を示すシーケンス図である。携帯端末装置１２は、看護師からの指示に従って、予定情報の一覧の出力を要求する（Ｓ３０）。コンピュータ１０は、要求に応じて、記憶している予定情報の一覧を出力する（Ｓ３２）。携帯端末装置１２は、受けつけた予定情報の一覧を表示する（Ｓ３４）。さらに、携帯端末装置１２は、看護師の指示に従って、表示した予定情報の一覧から、ひとつの予定情報を選択し（Ｓ３６）、これをコンピュータ１０に送信する。
【００４４】
コンピュータ１０は、携帯端末装置１２からの選択の指示を受け、当該指示にもとづいて参照識別番号を抽出する（Ｓ３８）。看護師は、携帯端末装置１２を使用して、患者に装着されたリストバンド１４の識別番号を読み込み（Ｓ４０）、これをコンピュータ１０に送信する。コンピュータ１０は、読み込んだ識別番号と参照識別番号との間で照合を行い、判定を実行する（Ｓ４２）。コンピュータ１０は、判定結果を出力する（Ｓ４４）。携帯端末装置１２は、コンピュータ１０からの判定結果を受けつけ（Ｓ４６）、判定結果を表示する（Ｓ４８）。一方、コンピュータ１０は、判定結果を記録する（Ｓ５０）。
【００４５】
図９は、携帯端末装置１２による確認処理の手順を示すフローチャートである。看護師は、要求部３６を介して予定情報の一覧の出力をコンピュータ１０に要求する（Ｓ６０）。提示部３０は、コンピュータ１０から予定情報の一覧を受けつけ（Ｓ６２）、これを表示する（Ｓ６４）。この表示は、図５に対応する。選択部３２は、医療行為者の指示に従って、予定情報の一覧の中から、ひとつの予定情報を選択する（Ｓ６６）。選択した情報は、コンピュータ１０に送信される。
【００４６】
看護師は、読込部３４を使用して、リストバンド１４に貼付された識別番号を読み込み、取得部３８を使用して、識別者である看護師の識別番号を読み込む（Ｓ６８）。読み込んだこれらの識別番号は、コンピュータ１０に送信される（Ｓ７０）。提示部３０は、コンピュータ１０から、判定結果を受けつける（Ｓ７２）。判定結果がＯＫに対応していれば（Ｓ７４のＹ）、提示部３０は画面をクリアする（Ｓ７６）。一方、判定結果がＮＧに対応していれば（Ｓ７４のＮ）、提示部３０は、警告を表示する（Ｓ７８）。これは図６に対応する。なお、判定結果がＯＫに対応している場合に、提示部３０は、その旨を表示してもよい。
【００４７】
図１０は、コンピュータ１０による確認処理の手順を示すフローチャートである。記憶部４８は、携帯端末装置１２から、予定情報の一覧を出力する旨の指示を受けつける（Ｓ８０）。記憶部４８は、指示に従って、携帯端末装置１２に対して、予定情報の一覧を出力する（Ｓ８２）。抽出部５０は、携帯端末装置１２から、予定情報の選択の指示を受けつける（Ｓ８４）。抽出部５０は、受けつけた指示にもとづいて、参照識別番号を抽出する（Ｓ８６）。さらに、参照抽出番号を判定部５４に出力する。
【００４８】
判定部５４は、携帯端末装置１２から、読み込んだ識別番号、看護師の情報を受けつける（Ｓ８８）。判定部５４は、読み込んだ識別番号と参照識別番号との間で照合を行い、識別番号に対応した患者に手術を行ってよいかの判定を行う（Ｓ９０）。判定結果がＯＫであれば（Ｓ９２のＹ）、判定部５４は携帯端末装置１２に対してＯＫに対応したメッセージを出力する（Ｓ９４）。一方、判定結果がＮＧであれば（Ｓ９２のＮ）、判定部５４は携帯端末装置１２に対してＮＧに対応したメッセージを出力する（Ｓ９６）。なお、ＯＫに対応したメッセージは、図９のステップ７６のような画面クリアに対応してもよい。さらに、記憶部４８は、タイマー５２での時刻情報と対応させながら、判定結果を記録する（Ｓ９８）。
【００４９】
本発明の実施例によれば、確認の対象となる患者に対して、識別番号を予め付与しておき、付与した識別番号を読み込んでから、参照識別番号との間で照合を行うので、看護師は、簡易にかつ確実に、患者が医療を施すべき対象であるかを判定できる。また、看護師に判定結果を通知でき、特に、確認の対象となった患者が医療行為を施すべき対象でないと判定した場合もこれを通知するので、注意を促せる。また、処理対象になるべき予定情報の選択が、複数の選択肢の中からひとつを選択する処理でよいので、看護師の負担を軽減できる。
【００５０】
また、判定結果にあわせて、看護師の識別情報や時刻も記録するので、医療行為においてなされる患者の移動を把握できる。また、看護師による患者の引き継ぎのタイミングで、判定結果、看護師の識別情報、時刻を記録するので、引き継ぎのミスを特定できる。また、携帯情報端末を使用するので、紙への印刷を不要にでき、紙の消費量を低減できる。また、サーバと携帯端末装置という構成により、医療行為者は、サーバから離れた場所においても、患者の確認を実行できる。
【００５１】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５２】
本発明の実施例において、記憶部４８は、患者に予め割り当てた識別番号を記憶している。しかしながらこれに限らず、記憶部４８は、患者の生体情報を予め取得しており、取得した生体情報と、当該患者に施すべき医療行為についての予定情報とを対応させながら、複数の患者に対する複数の予定情報と複数の生体情報をそれぞれ記憶していてもよい。すなわち、患者の確認に識別番号でなく、生体情報を使用してもよい。この場合、読込部３４は、確認すべき患者の生体情報を読み込む。また、判定部５４は、選択部３２において選択した予定情報にもとづいて、記憶部４８から生体情報を取得し、当該取得した生体情報と、読込部３４において読み込んだ生体情報とを照合することによって、確認すべき患者が医療行為を施すべき対象であるかを判定する。この場合、取得した生体情報に対して、所定の画像処理が施されてもよい。本変形例によれば、確認すべき患者の生体情報を読み込んでから、予め記憶した生体情報との間で照合を行うので、看護師は、簡易にかつ確実に、確認すべき患者に医療を施すべきであるかを判定できる。つまり、患者が特定できればよい。
【００５３】
本発明の実施例において、識別番号がリストバンド１４に貼付されている。しかしながらこれに限らず例えば、識別番号がリストバンド１４に直接印刷されていてもよい。その場合、読込部３４は、画像として識別番号を読み込み、画像から識別番号を文字認識する。本変形例によれば、識別番号をさまざまな形によって表現できる。つまり、患者が特定できればよい。
【００５４】
本発明の実施例において、取得部３８は、看護師に関する情報として、看護師の識別番号を取得している。しかしながらこれに限らず例えば、看護師の名前やパスワードであってもよい。本変形例によれば、識別番号をさまざまな形によって表現できる。つまり、看護師が特定できればよい。
【００５５】
本発明の実施例において、病室側の看護師から手術室側の看護師に、患者が引き継がれるときに医療行為管理システム１００が使用されている。しかしながらこれに限らず、手術室側の看護師から病室側の看護師に引き継がれる場合や、その他、複数の看護師の間で引き継がれる場合に適用してもよい。本変形例によれば、さまざまな場合に本発明を適用できる。つまり、患者の確認を必要とする場合であればよい。
【図面の簡単な説明】
【００５６】
【図１】本発明の実施例に係る手術室の業務の手順を示すフローチャートである。
【図２】図２（ａ）−（ｂ）は、本発明の実施例に係る医療行為管理システムの概略を示す図である。
【図３】本発明の実施例に係る医療行為管理システムの構成を示す図である。
【図４】図３の記憶部に記憶された識別番号と予定情報との組み合わせについてのデータ構造を示す図である。
【図５】図３の提示部に表示された実施入力一覧の画面を示す図である。
【図６】図３の提示部に表示された警告メッセージの画面を示す図である。
【図７】図３の記憶部に記録された判定結果を示す図である。
【図８】図３の医療行為管理システムによる確認処理の手順を示すシーケンス図である。
【図９】図３の携帯端末装置による確認処理の手順を示すフローチャートである。
【図１０】図３のコンピュータによる確認処理の手順を示すフローチャートである。
【符号の説明】
【００５７】
１０  コンピュータ、  １２  携帯端末装置、  １４  リストバンド、  １６  移動ベット、  １８  識別番号、  ３０  提示部、  ３２  選択部、  ３４  読込部、  ３６  要求部、  ３８  取得部、  ４０  制御部、  ４２  通信部、  ４４  通信部、  ４６  制御部、  ４８  記憶部、  ５０  抽出部、  ５２  タイマー、  ５４  判定部、  １００  医療行為管理システム。
【図１】
2006079409.tif 000003
【図２】
2006079409.tif 000004
【図３】
2006079409.tif 000005
【図４】
2006079409.tif 000006
【図５】
2006079409.tif 000007
【図６】
2006079409.tif 000008
【図７】
2006079409.tif 000009
【図８】
2006079409.tif 000010
【図９】
2006079409.tif 000011
【図１０】
2006079409.tif 000012